(57)【要約】【課題】折畳み可能で自立型のゴミ回収容器を使用していくうちに、支柱を設けることによる容器上部の破損を防ぎ、長期間の使用に供することができるゴミ回収容器を提供すること。【解決手段】  網状の繊維材３よりなり、底面２ｆが閉塞され上面２ｅに開口部４が形成されている角筒状のゴミ収容部２と、ゴミ収容部２の上面周縁と底面周縁とを繋ぐ四本の支柱６と、当該底面周縁に設けられている永久磁石の小片５とを備えてなるゴミ回収容器１である。四本の支柱６の先端部は前記上面周縁から上方へ突出しており、四本の支柱６の先端部は樹脂製あるいはアルミ製の保護具７によって被覆されている。【選択図】図１
2014118291.tif 000002
【特許請求の範囲】
【請求項１】
外から収容物を略視認できる材料からなり、底面が閉塞され上面に開口部が形成されている筒状本体と、該筒状本体の上面周縁と底面周縁とを繋ぐ所定数の支柱と、当該底面周縁に設けられている補強材とを備えてなるゴミ回収容器であって、
前記支柱の先端部は前記上面周縁から上方へ突出しており、
該支柱の先端部は樹脂製の保護具によって被覆されており、
前記補強材のうち、前記底面周縁の一辺及び対向する辺に配置される補強材が少なくとも二つに分離され、該分離された補強材の間に形成されている間隙によって、前記底面周縁の当該一辺及び対向する辺の中心部に折畳み部が形成され、
前記筒状本体の開口部に、開閉紐によって開閉可能な開閉口が形成される巾着型の蓋部材が取り付けられている
ことを特徴とするゴミ回収容器。
【請求項２】
前記補強材を永久磁石としたことを特徴とする請求項１記載のゴミ回収容器。
【発明の詳細な説明】
【技術分野】
【０００１】
この発明は、ペットボトルなどの資源ゴミを回収するゴミ回収容器に関する。
【背景技術】
【０００２】
従来、ペットボトル、空き缶などの資源ゴミを分別、回収するのに様々な種類のゴミ回収容器が使用されている。例えば、特許文献１、２に記載のようなゴミ回収容器が使用されている。
【０００３】
特許文献１に記載の空き缶回収用袋は折畳み可能なものであるが、上面の開口を越えるほどの空き缶等が収容されると、当該回収用袋の移動中等に、収容しきれない空き缶等が溢れてしまうおそれがあり、回収に手間がかかることがある。
【０００４】
また、当該回収用袋の四隅に形成されている袋部に支柱が挿入されていることによって、長期間使用していくうちに当該袋部が支柱によって破損するおそれもある。
【０００５】
特許文献２に記載のゴミ回収容器は、自立型で折畳み可能なものであるが、上記のような課題、つまり、空き缶等のゴミの溢れや支柱による容器の破損といった課題が潜在しているほか、前後左右の壁面の底辺に設けられたおもりと、前後左右の壁面の対向する二つの隅角部のいずれか一方に設けられた支柱だけでは、ゴミ回収容器の安定した自立を確保できるかは疑問が残るところである。
【先行技術文献】
【特許文献】
【０００６】
【特許文献１】実用新案登録第２５３１２３０号公報
【特許文献２】特開２００６−１２４１２８号公報
【発明の概要】
【発明が解決しようとする課題】
【０００７】
そこで、本発明は、折畳み可能で自立型のゴミ回収容器を使用していくうちに、支柱を設けることによる容器の破損を防ぎ、長期間の使用に供することができるゴミ回収容器を提供することを目的とする。
【０００８】
また、ゴミ回収容器を折畳む際に、コンパクトに折畳めるゴミ回収容器を提供することを目的とする。
【０００９】
また、ペットボトルなどの資源ゴミを容器外へ溢れさせることなく規定量まで収容することができるゴミ回収容器を提供することを目的とする。
【００１０】
さらに、ペットボトルなどの資源ゴミが収容された状態のゴミ回収容器の持ち運びがしやすいゴミ回収容器を提供することを目的とする。
【課題を解決するための手段】
【００１１】
上記課題を解決するため、以下の発明を提案する。
【００１２】
請求項１の発明は、
外から収容物を略視認できる材料からなり、底面が閉塞され上面に開口部が形成されている筒状本体と、該筒状本体の上面周縁と底面周縁とを繋ぐ所定数の支柱と、当該底面周縁に設けられている補強材とを備えてなるゴミ回収容器であって、
前記支柱の先端部は前記上面周縁から上方へ突出しており、
該支柱の先端部は樹脂製の保護具によって被覆されており、
前記補強材のうち、前記底面周縁の一辺及び対向する辺に配置される補強材が少なくとも二つに分離され、該分離された補強材の間に形成されている間隙によって、前記底面周縁の当該一辺及び対向する辺の中心部に折畳み部が形成され、
前記筒状本体の開口部に、開閉紐によって開閉可能な開閉口が形成される巾着型の蓋部材が取り付けられている
ことを特徴とするゴミ回収容器である。
【００１３】
請求項２の発明は、
前記補強材を永久磁石としたことを特徴とする請求項１記載のゴミ回収容器である。
【発明の効果】
【００１４】
この発明によれば、折畳み可能で自立型のゴミ回収容器を使用していくうちに、支柱を設けることによる容器の破損を防ぎ、長期間の使用に供することができるゴミ回収容器を提供することができる。
【００１５】
また、ゴミ回収容器を折畳む際に、コンパクトに折畳めるゴミ回収容器を提供することができる。
【００１６】
また、ペットボトルなどの資源ゴミを容器外へ溢れさせることなく規定量まで収容することができるゴミ回収容器を提供することができる。
【００１７】
さらに、ペットボトルなどの資源ゴミが収容された状態のゴミ回収容器の持ち運びがしやすいゴミ回収容器を提供することができる。
【図面の簡単な説明】
【００１８】
【図１】本発明のゴミ回収容器の一実施形態を表す図である。
【図２】図１図示の実施形態において、網状の繊維材を取り除いたゴミ回収容器の骨格を表す図である。
【図３】本発明のゴミ回収容器の使用例を表す概念図であって、（ａ）ペットボトルなどの資源ゴミの回収初期の図、（ｂ）規定量の資源ゴミを回収した状態の図、（ｃ）蓋部材の開閉口を閉じた状態の図。
【発明を実施するための形態】
【００１９】
本発明のゴミ回収容器は、網状又は多数の小穴（内容物より小さい）が開いたシートもしくは透明なシートなど、外部から内容物を視認できる材料からなり、底面が閉塞され上面に開口部が形成されている筒状本体と、該筒状本体の上面周縁と底面周縁とを繋ぐ所定数の支柱と、当該底面周縁に設けられている補強材とを備えてなるゴミ回収容器である。
【００２０】
前記筒状本体の上面周縁と底面周縁とを繋ぐ支柱の数によって、当該筒状本体を種々の形状とすることができる。例えば支柱を三本使用して三角筒状に形成することや、四本使用して四角筒状あるいは円筒形状にも形成することができる。前記支柱は、鋼製あるいは炭素鋼など長期間の使用に耐え得る素材を使用することが好ましい。
【００２１】
この筒状本体は、ペットボトルなどの資源ゴミを収容するためのもので、上述したように、網状、又は穴が開いたシートもしくは透明なシートで成形することで、外から前記筒状本体に収容されている前記ペットボトルなどの資源ゴミの収容状態を確認することができる。
【００２２】
また、前記ペットボトルなどの資源ゴミを前記筒状本体に収容した際に、前記ペットボトルなどの資源ゴミから漏れ出す液体が前記筒状本体内に溜まるのを防止するため、少なくとも前記筒状本体の底面には、前記網状又は穴が開いたシートもしくは透明なシートを採用することが好ましい。
【００２３】
なお、前記網状のシートの一例として、ポリエチレンやポリ塩化ビニルなどの高分子材料からなる合成樹脂を用いて網状に成形することができる。この網状に成形した繊維材を用いて、上述したように底面を閉塞し上面が開口するように筒状本体を成形することができる。
【００２４】
前記支柱の先端部は前記上面周縁から上方へ突出しており、該支柱の先端部は樹脂製の保護具によって被覆されている。こうすることによって、ゴミ回収容器を長期間使用しても、前記上面周縁が前記支柱の先端部によって破れるなど、破損することを防ぐことができる。
【００２５】
前記底面周縁には、比較的重い金属や永久磁石など重量のある補強材が設けられている。そのため、前記底面周縁を、合成樹脂を袋状に縫着して成形し、当該袋状の底面周縁内に前記補強材を封入することが好ましい。この補強材の重量と前記所定数の支柱の自立性とによって、ゴミ回収容器を安定して自立させることができる。
【００２６】
前記袋状の底面周縁内に前記補強材を封入する際には、当該補強材の小片を複数個前記底面周縁内に封入することが好ましい。このように封入すると各小片間に間隙が生じるので、ゴミ回収容器を使用後、前記底面周縁の任意の位置で当該底面周縁を折り曲げようとすると、その内部の前記補強材の小片間で折り曲げることになるので、コンパクトにゴミ回収容器を折畳むことができる。
【００２７】
次に、前記筒状本体の開口部に、開閉紐によって開閉可能な開閉口が形成されている巾着型の蓋部材が取り付けられている。当該蓋部材は、前記筒状本体と同じ材料のものを用いて成型することができる。
【００２８】
この蓋部材が取り付けられたゴミ回収容器を所定のゴミ回収場所に設置し、ペットボトルなどの資源ゴミを前記蓋部材の開閉口から筒状本体内へ投入する。前記資源ゴミを前記蓋部材の容量分まで収容した後、前記開閉紐で前記開閉口を閉じることで、前記資源ゴミをゴミ回収容器外へ溢れさせることなく規定量まで収容することができる。また、前記資源ゴミが収容された状態のゴミ回収容器を持ち運びやすくすることができる。
【実施例】
【００２９】
以下、添付図面を参照して、本発明の実施形態の一例を説明する。
【００３０】
図１、図２図示のゴミ回収容器１は、網状の繊維材３よりなり、底面２ｆが閉塞され上面２ｅに開口部４が形成されている角筒状のゴミ収容部２と、ゴミ収容部２の上面周縁と底面周縁とを繋ぐ四本の支柱６と、当該底面周縁に設けられている複数個の永久磁石の小片５と、ゴミ収容部２の開口部４に、開閉紐１１によって開閉可能な開閉口１２が形成されている巾着型の蓋部材１０を備えてなる。
【００３１】
四本の支柱６の先端部は前記上面周縁から上方へ突出しており、四本の支柱６の先端部は樹脂製あるいはアルミ製の保護具７によって被覆されている。こうすることによって、ゴミ回収容器１を長期間使用しても、前記上面周縁が四本の支柱６の先端部によって破れるなど、破損することを防ぐことができる。
【００３２】
繊維材３は、ポリエチレンやポリ塩化ビニルなどの高分子材料からなる合成樹脂を用いて網状に成形する。この網状に成形した繊維材３を用いて、図１図示のように底面２ｆを閉塞し上面２ｅが開口するように角筒状のゴミ収容部２を成形する。
【００３３】
ゴミ収容部２を網状の繊維材３で成形することにより、外からゴミ収容部２に収容されているペットボトルなどの資源ゴミの収容状態を確認することができる。
【００３４】
また、前記ペットボトルなどの資源ゴミをゴミ収容部２に収容した際に、前記ペットボトルなどの資源ゴミから漏れ出す液体がゴミ収容部２内に溜まるのを防止することができる。
【００３５】
ゴミ収容部２の上面周縁と底面周縁も合成樹脂で成形されており、当該上面周縁と底面周縁とを四本の支柱４で繋ぐことで、角筒状のゴミ収容部２が形成されている。四本の支柱４は、アルミニウムや硬質樹脂あるいは炭素鋼など長期間の使用に耐え得る素材を使用している。
【００３６】
前記底面周縁は合成樹脂を袋状に縫着して成形し、当該袋状の底面周縁内に重量のある永久磁石の小片５が複数個封入されている。ゴミ回収容器１を所定の設置場所に設置する際には、前記袋状の底面周縁内の複数の永久磁石の小片５がお互いの磁力によって吸着し、一本の磁石の役割を果たす。そのため、四本の支柱４の自立性と永久磁石の重量によって、ゴミ回収容器１を安定して自立させることができる。
【００３７】
また、ゴミ回収容器１を使用後、前記底面周縁の任意の位置で当該底面周縁を折り曲げる際に、当該位置に対応する内部の永久磁石の小片５間に生じる間隙８を利用して折り曲げることになるので、コンパクトにゴミ回収容器１を折畳むことができる
例えば、ゴミ収容部２の後面２ｃ側の前記底面周縁の辺の任意の位置及び対向する前面２ａ側の前記底面周縁の辺の位置でゴミ回収容器１を折畳む際、図１図示のように、後面２ｃ側の前記底面周縁の辺の前記任意の位置から対応する上面周縁の後面２ｃ側の位置にかけて形成されている折畳み部９、及び、前面２ａ側の前記底面周縁の辺の前記任意の位置から対応する上面周縁の前面２ａ側の位置にかけて形成されている折畳み部９に沿って、後面２ｃ及び前面２ａをゴミ回収容器１の内側へ折畳むことができる。
【００３８】
また、前面２ａ及び後面２ｃを内側に折畳むと、前面２ａ及び後面２ｃ側の前記袋状の底面周縁の合成樹脂内に封入されている永久磁石の小片５がお互いの磁力によって吸着し、さらに、ゴミ収容部１の左面２ｂ及び右面２ｄ側の前記袋状の底面周縁の合成樹脂内に封入されている永久磁石の小片５、５と、前面２ａ及び後面２ｃ側の永久磁石の小片５、５とが、お互いの磁力によって吸着する。このように永久磁石の小片５の磁力を利用することによって、ゴミ回収容器１を折畳む際に、コンパクトに折畳むことができる。
【００３９】
次に、ゴミ回収容器１の開口部４には、開閉紐１１によって開閉可能な開閉口１２が形成されている巾着型の蓋部材１０が取り付けられている。蓋部材１０には、ゴミ収容部２と同様に、ポリエチレンやポリ塩化ビニルなどの高分子材料からなる合成樹脂を網状に成形した繊維材３が使用されている。
【００４０】
図３は本実施例のゴミ回収容器１の使用例を表す概念図である。まず、蓋部材１０の開閉口１２の位置をゴミ収容部２の上面周縁よりも下にすることで、ゴミ回収容器１を所定のゴミ回収場所に設置し、ペットボトルなどの資源ゴミ１４を開閉口１２からゴミ収容部２内へ投入しやすくなる（図３（ａ））。
【００４１】
また、従来のゴミ回収容器の場合、上述したように、上面の開口を越えるほどのペットボトルなどの資源ゴミが収容されると、当該ゴミ回収容器の移動中等に、収容しきれないペットボトルなどの資源ゴミが溢れてしまうおそれがあり、回収に手間がかかることがある。
【００４２】
しかし、本実施例のようなゴミ回収容器１の場合、開口部４付近までペットボトルなどの資源ゴミ１４が収容されると、開閉口１２の位置がゴミ収容部２の上面周縁よりも上になり、ペットボトルなどの資源ゴミ１４を蓋部材１０の容量分まで収容することができる（図３（ｂ）。
【００４３】
そして、図３（ｃ）図示のように、開閉紐１１で開閉口１２を閉じることで、前記資源ゴミをゴミ回収容器外へ溢れさせることなく規定量まで収容することができる。
【００４４】
また、前記上面周縁の前面２ａ及び後面２ｃ側に持ち手１３が設けることにより（図１）、持ち手１３を利用することで、前記資源ゴミが規定量まで収容された状態のゴミ回収容器１の持ち運びがしやすくなる。
【００４５】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００４６】
１  ゴミ回収容器
２  ゴミ収容部
２ａ  ゴミ収容部の前面
２ｂ  ゴミ収容部の左面
２ｃ  ゴミ収容部の後面
２ｄ  ゴミ収容部の右面
２ｅ  ゴミ収容部の上面
２ｆ  ゴミ収容部の底面
３  繊維材
４  開口部
５  永久磁石の小片
６  支柱
７  保護具
８  間隙
９  折畳み部
１０  蓋部材
１１  開閉紐
１２  開閉口
１３  持ち手
【図１】
2014118291.tif 000003
【図２】
2014118291.tif 000004
【図３】
2014118291.tif 000005